(57)【特許請求の範囲】
【請求項１】
電力を駆動源とするオプションのユニットと電源との接続／非接続を判定する接続状態判定手段と、
前記接続状態判定手段が非接続と判定したとき、電源からの給電を遮断する給電遮断手段と
を備え、
前記接続状態判定手段は、前記オプションのユニットがセンサを備えるユニットであるときは、そのセンサからの出力信号に基づいて接続状態を判定することを特徴とする便器装置。
【請求項２】
電力を駆動源とするオプションのユニットと電源との接続／非接続を判定する接続状態判定手段と、
前記接続状態判定手段が非接続と判定したとき、電源からの給電を遮断する給電遮断手段と、
センサを備えていないユニットと電源との断線を検知するための断線検知手段と
を備え、
前記接続状態判定手段は、前記オプションのユニットがセンサを備えていないユニットであるときは、前記断線検知手段からの出力信号に基づいて接続状態を判定することを特徴とする便器装置。
【発明の詳細な説明】
【０００１】
【発明の属する技術分野】
本発明は便器装置の改良に関するものである。
【０００２】
【従来の技術】
近年、便器装置にオプションとして設置される衛生洗浄装置は、多機能化や高機能化によって装置価格が上昇する傾向にある。
【０００３】
【発明が解決しようとする課題】
ところで、ユーザの中には、当初は廉価でさえあれば機能は必要最小限のものだけで我慢し、追って必要になった機能を徐々に後付けにより補充することが可能な装置を望む者もある。そこで、このようなユーザの要求にもフレキシブルに応じるために、例えば脱臭ユニットのような衛生洗浄装置に付随的な高度の機能を有するユニットをオプションにして後付けを可能にした構成の便器装置が検討された。
【０００４】
しかし、脱臭ユニットのような電力を駆動源とするユニットをオプションにして後付けする場合、装置本体側に配線されている給電線に上記ユニットが接続されていないときには、電源からその給電線への給電を継続するとトラブルが発生する虞がある。
【０００５】
従って本発明の目的は、オプションのユニットが電源に接続されていないときのトラブルの発生を未然に防止することが可能な便器装置を提供することにある。
【０００６】
【課題を解決するための手段】
本発明に従う便器装置は、電力を駆動源とするオプションのユニットと電源との接続／非接続を判定する接続状態判定手段と、接続状態判定手段が非接続と判定したとき、電源からの給電を遮断する給電遮断手段とを備える。本発明の第１の側面に従えば、前記接続状態判定手段は、前記オプションのユニットがセンサを備えるユニットであるときは、そのセンサからの出力信号に基づいて接続状態を判定する。本発明の第２の側面に従えば、センサを備えていないユニットと電源との断線を検知するための断線検知手段が更に備えられ、前記接続状態判定手段は、前記オプションのユニットがセンサを備えていないユニットであるときは、前記断線検知手段からの出力信号に基づいて接続状態を判定する。
【０００７】
この構成によれば、接続状態判定手段が非接続と判定したとき、電源からの給電を遮断するので、オプションのユニットが電源に接続されていない状態での給電の継続により予想され得るトラブルの発生を防止できる。
【０００８】
本発明の好適な実施形態では、給電遮断手段は、接続状態判定手段が非接続と判定したとき、複数の給電線を通じた電源からの給電をすべて遮断することとしている。
【０００９】
この構成によれば、接続状態判定手段が非接続と判定したとき、複数の給電線を通じた電源からの給電をすべて遮断することとしたので、オプションのユニットが電源に接続されていない状態での給電の継続により予想され得るトラブルの発生を更に確実に防止できる。
【００１０】
オプションのユニットには、センサを備えるユニットと、センサを備えていないユニットとがあり、センサを備えるユニットに対しては、接続状態判定手段は、そのセンサからの出力信号に基づいて接続状態を判定する。そのため、例えば断線検知回路のような接続状態を検知する手段を設ける必要がないので、部品点数が少なくて済む。
【００１１】
一方、センサを備えていないユニットについては、接続状態判定手段は、そのユニットと電源との断線を検知するための断線検知手段からの出力信号に基づいて接続状態を判定することとなる。
【００１６】
【発明の実施の形態】
以下、本発明の実施の形態を、図面により詳細に説明する。
【００１７】
図１は、本発明の一実施形態に係る便器装置の給電制御系統を示すブロック図である。
【００１８】
この給電制御系統は、図示のように、複数個のユニット接続用ポート１、３と、複数個のコネクタ５、７と、複数個のオプションのユニット９、１１と、マイクロコンピュータ（マイコン）１３と、表示器１４と、電源１５とから構成される。コネクタ５はポート１に、コネクタ７はポート３に夫々対応して設けられる。また、オプションのユニット９はコネクタ５に、オプションのユニット１１はコネクタ７に夫々対応して設けられる。上記各部のうち、コネクタ５の図面右側の接続端子５ｂはオプションのユニット９に、また、コネクタ７の図面右側の接続端子７ｂはオプションのユニット１１に、夫々一体的に取付けられたものである。よって、上記以外の各部は便器装置本体（或いは便座装置本体）に取付固定されているものである。なお、図１では、ポート、コネクタ、及びオプションのユニットは、図示の都合により夫々２個ずつしか記載されていないが、実際にはオプションのユニット数に合せて３個以上設置されている。
【００１９】
ポート１には、コネクタ５を介して電源１５とユニット９とを接続する２本の給電線２１、２３が配線されている。ポート１には、また、コネクタ５とバスライン３７とを介してマイコン１３とユニット９とを接続するバスライン３９も配線されている。ポート１は、上記２本の給電線２１、２３に夫々接点２９、３１を備える。これらの接点２９、３１は、マイコン１３からバスライン３７、３９を通じて伝送される制御信号により同時に開／閉動作するようになっている。
【００２０】
ポート３には、コネクタ７を介して電源１５とユニット１１とを接続するために上記各給電線２１、２３から夫々分岐した２本の給電線２５、２７が配線されている。ポート３には、また、コネクタ７を介してマイコン１３とユニット１１とを接続するバスライン３７も配線されている。ポート３は、上記２本の給電線２５、２７に夫々接点３３、３５を備える。これらの接点３３、３５は、マイコン１３からバスライン３７を通じて伝送される制御信号により同時に開／閉動作するようになっている。更に、ポート３には、ユニット１１が給電線２５、２７に接続されているか否かを検出するための断線検出回路１９が内蔵されている。この断線検出回路１９からの検出信号は、バスライン３７を通じてマイコン１３に与えられる。
【００２１】
コネクタ５は、装置本体側の接続端子５ａと、この接続端子５ａに挿脱自在なユニット側の接続端子５ｂとから構成されているもので、接続端子５ａに接続端子５ｂが嵌挿されることにより、給電線２１、２３と給電線２２、２４、及びバスライン３９とバスライン４０が夫々接続される。これによって、電源１５からの駆動電力のユニット９への供給、及びマイコン１３からの制御信号のユニット９への伝送が可能になる。
【００２２】
コネクタ７もコネクタ５におけると同様に、装置本体側の接続端子７ａと、この接続端子７ａに挿脱自在なユニット側の接続端子７ｂとから構成されているもので、接続端子７ａに接続端子７ｂが嵌挿されることにより、給電線２５、２７と給電線２６、２８、及びバスライン３７とバスライン３８が夫々接続される。これによって、電源１５からの駆動電力のユニット１１への供給、及びマイコン１３からの制御信号のユニット１１への伝送が可能になる。
【００２３】
ユニット９には、例えば熱交換器ユニットや、温風乾燥ユニットのようなユニット自身にセンサ（例えばサーミスタ）１７を内蔵したものが挙げられる。コネクタ５を介して例えば熱交換器ユニットがユニット９として電源１５及びマイコン１３に接続されたとすると、温水サーミスタ１７からの出力信号はバスライン４０、コネクタ５、及びバスライン３９、３７を介してマイコン１３に伝送される。
【００２４】
一方、ユニット１１には、例えば脱臭ユニットのようなユニット自身にセンサが内蔵されていないものが挙げられる。例えば脱臭ユニットがユニット１１としてコネクタ７を介して電源１５及びマイコン１３に接続されたとすると、脱臭ユニットにはセンサがない。そのため、マイコン１３はバスライン３７を介して伝送される断線検出回路１９からの出力信号の変化により、ユニット１１が接続されたと判断することになる。
【００２５】
マイコン１３は、バスライン４０、コネクタ５、及びバスライン３９、３７を通じてセンサ１７から正常な信号が伝送されてきたとき、ユニット９が接続されていると判定し、正常な信号が伝送されてこなかったとき、ユニット９が非接続であると判定する。そして、ユニット９が非接続であると判定したときには、直ちに接点２９、３１を共に開いて電源１５からのユニット９側への給電を遮断すると共に、その旨を表示器１４に表示する。
【００２６】
マイコン１３は、また、バスライン３９、３７を通じて断線検出回路１９からユニット１１が接続されたことを示す信号が出力されたとき、ユニット１１が接続されていると判定し、ユニット１１が非接続であることを示す信号が出力されたとき、ユニット１１が非接続であると判定する。そして、ユニット１１が非接続であると判定したときには、直ちに接点３３、３５を共に開いて電源１５からのユニット１１側への給電を遮断すると共に、その旨を表示器１４に表示する。
【００２７】
次に、上記構成の制御動作を、図２のフローチャートにより説明する。
【００２８】
まず、センサ１７から正常な信号が伝送されてこなかったときは、ユニット９が非接続であると判定する（ステップＳ４１）。そして、直ちに接点２９、３１を共に開いて電源１５からのユニット９側への給電を遮断し（ステップＳ４２）、ユニット９が非接続である旨をユーザに報知すべく表示器１４に表示する（ステップＳ４３）。これと共に、マイコン１３に各種指令を与える操作部（図示しない）における指令入力の受け付けを禁止する（ステップＳ４４）。ユニット１１の接続／非接続の判定に当っても、断線検出回路１９からの出力信号に基づいて上記と同様の処理が実行される。
【００２９】
上記構成によれば、マイコン１３がオプションのユニット９（１１）を、センサ１７（１９）からの信号に基づいて非接続と判定したとき、接点２９、３１（３３、３５）を共に開くことによって２本の給電線２１、２３（２５、２７）を通じた電源１５からの給電をすべて遮断することとした。そのため、オプションのユニット９（１１）が電源に接続されていない状態での給電の継続により予想され得るトラブルの発生を確実に防止することが可能になった。
【００３０】
また、ユニット９のようなセンサ（１７）を備えるユニットに対しては、マイコン１３は、そのセンサからの出力信号に基づいてユニットの接続状態を判定するため、ユニットの接続状態だけを検知するセンサを別に設ける必要がないので部品点数が少なくて済み、装置の低コスト化を図ることができる。
【００３１】
なお、上述した内容は、あくまで本発明の一実施形態に関するものであって、本発明が上記内容のみに限定されることを意味するものでないのは勿論である。
【００３２】
【発明の効果】
以上説明したように、本発明によれば、オプションのユニットが電源に接続されていないときのトラブルの発生を未然に防止することが可能な便器装置を提供することができる。
【図面の簡単な説明】
【図１】本発明の一実施形態に係る便器装置の給電制御系統を示すブロック図。
【図２】図１の各部のマイコンによる制御動作を示すフローチャート。
【符号の説明】
１、３  ユニット接続用ポート
５、７  コネクタ
９、１１  オプションのユニット
１３  マイクロコンピュータ（マイコン）
１５  電源
１７  センサ（サーミスタ）
１９  断線検出回路
２１、２２、２３、２４、２５、２６、２７、２８  給電線
２９、３１、３３、３５  接点
３７、３８、３９、４０  バスライン
【図１】
0003595994.tif 000002
【図２】
0003595994.tif 000003